(57)【要約】      （修正有）【課題】車に付いている日除けを、視界を広く安全に運転が出来るものにすること。駐停車している車や、密閉している車に対して、太陽熱から車内の温度を高温になるのを防ぎ、車内に装備していても邪魔にならないように、いつでも手軽にすぐに使用出来る車用日除け。【解決手段】フロントガラスの上部に細長く取り付けて、走行中に光が眩しいとき前が透けてみえる日除け３を出し入れする事が出来、駐停車のとき太陽熱を遮断し車内が高温になるのを防ぐことができる日除け４を出し入れする事が出来る、フロントガラスの上部にこのふたつを取り付けることができる、使用したいときに前座席に座ったままで引くだけで用を足すことが出来る。大きさも巻き取りに使うワイヤ−や素材も薄いため、ル−ムミラ−とフロントガラスの間に納まる位か、少しル−ムミラ−を手前に移動するぐらいで取り付けることが出来る。【選択図】  図１
2006103651.tif 000002
【特許請求の範囲】
【請求項１】
巻き取り収納式前が透けてみえる太陽眩しさ防止安全運転車用日除け
車のフロントガラスの上部にフロントガラスの横の長さに合わせて、ワイヤ−を使用する。ワイヤ−に薄いビニ−ルを張りそれに、前が透けて見える素材を張りつけて巻く、素材の両サイド全て凸をレ−ルのように長く付け弾力のある物を付ける、フロントガラスの両サイドには凹になるものを固定する。回転して引き出すようにし、眩しさを遮る所で止められるようにする。巻き取り収納式前が透けてみえる太陽眩しさ防止安全運転車用日除け
【請求項２】
巻き取り収納式駐停車用太陽熱や光を遮断する車用日除け
車のフロントガラスの上部にフロントガラスの横の長さに合わせて、弾力のある筒状のゴムを使用する。車のフロントガラスはゆるやかな湾曲と台形の形をしているためこれに順応できるようにワイヤ−又は、弾力のある筒状のゴムを使用する。  これに、太陽熱や光を遮断する素材をフロントガラスの縦の長さの分巻付ける、この素材の両サイド全てに凸になるように弾力のある物をつける、フロントガラスの両サイドには凹になるものを固定する、回転して引き出すようにし、フロントガラスの下で止まるようにする。巻き取り収納式駐停車用太陽熱や光を遮断する車用日除け。。
【請求項３】
前が透けてみえる太陽眩しさ防止安全運転車用日除け
車のフロントガラスの上部に現在使用されている日除けの取り付け方と形は同じであるが、材質を、眩しさを遮断し、前が透けてみえる、サングラスのようなものにすることで視界が広がり安全  前が透けてみえる太陽眩しさ防止安全運転車用日除け運転につながる。
【発明の詳細な説明】
【技術分野】
【０００１】  本発明は、車内のフロントガラスの上部に細長く取り付けて、前が透けてみえることが出来る、太陽の眩しさを遮断できる素材を使い、使用しないときには、上に丸めて使用することが出来、運転しているとき、太陽や光の眩しさに応じた所で、回転させながら上から下に引き出して止めることが出来、眩しさを遮る事ができ、前が透けて見えるので、運転しているときにも視界が広いため、安全運転をすることができる、巻き取り収納式前が透けてみえる太陽眩しさ防止安全運転車用日除け、に関する物である。【０００２】  本発明は、車内のフロントガラスの上部に太陽熱や光を遮断できる素材を細長く巻いたものを取り付けて、車が駐車または停車しているときなどに、上から引出しフロントガラスの下で止める。太陽熱や光を遮断できる素材をフロントガラス全部に行き渡らせ、車内の前座席やハンドル、計器類等に日陰ができ、直接太陽が当たらないので、車内の温度を高温になるのをくい止める事が出来る、巻き取り収納式駐停車用太陽熱や光を遮断する車用日除け、に関する物である。【０００３】  本発明は、車内のフロントガラスの上部に中心より、右と左に分けて取り付け、手動にて、上げ下げする事が出来、太陽の眩しさは遮断し、前が透けてみえる材質を使用しているため、運転中太陽が眩しいとき、下げて使用していても、前が透けてみえるので、信号が赤から青に変わっても、瞬時に運転する事ができる。前が透けて見える太陽眩しさ防止安全運転車用日除け、に関する物である。
【背景技術】
【０００４】  現在の車の殆どに、車内のフロントガラスの上に右と左に分かれて２枚、上げ下げして太陽の眩しさを防ぐ物が付いている、しかし、実際に使用してみると、眩しさを防げるのはほんの一部にしかならない、ル−ムミラ−の所は、光が漏れて眩しく、前が見えない時がある、そして、赤信号から青信号に変わっても眩しくて見えない時がある、それに、日除け事態で前が見えないため覗き込むようにして前を見る、覗き込んで前を見ても眩しいため日除けを上に上げて使わなくなる、現在の、車の殆どに付いている日除けは、余り役に立たない物である、右の日除けは、右ドアの窓の上に来るように横にも動くが、これも顔の部分には日陰はできない、なぜ出来ないかというと、顔の部分に太陽が眩しいときはかなり日が落ちる西日になる、これは、どの角度から走行していても同じであり、現在どの車にも取り付けられている日除けの長さでは、右横又は、左横からの日除けには、殆ど役にたたないのである。【０００５】  現在、駐車または、停車している車に熱い日差しが入り込み、車内の温度は、夏等は、６０度とも７０度とも言われるくらいに、車内の温度は上がります、そこで、最近よく見かけるのが、車の中からフロントガラスに日を避ける反射版の様な物を立てかけたり、吸盤で張りつけたりしているのを目にします、それをしないよりは、したほうが、直接熱い日差しが入るより日陰を作ることにより、車内の温度も上がらず乗ってすぐに握るハンドル等も熱くて触れない、ということもあまりないが、良く見ると車のフロントガラスはかなり斜めなので、立てかけた日除けがずれ落ちていたり、吸盤で張りつけていたものが、熱で剥がれ落ちて役にたっていないのを見ることがある、狭い車の中に日除けをしまう所もなく、後ろの座席に放ってあるのを良くみます、車のフロントガラス全部を覆うとなると、折りたたみにしても結構大きい物になりそれを、狭い車の中で使用するとき、片づけるとき、と結構大変なことなのです。【０００６】  上記に、記したように、現在の車の日除けは、フロントガラスの上に右と左にふたつに分かれて、上げ下げして使用し、素材もいろいろあるが、透けて見えるものではないので、下げて使用すると、フロントガラスの視界が狭くなり運転中見にくくなり覗き込んで見たりもするが、結局眩しくて使用するのを止めて、我慢して運転してしまうことがある、これは安全運転にはならない。
【発明の開示】
【発明が解決しようとする課題】
【０００７】  車の運転中に対して、太陽の眩しさや光を遮断出来るもの、遮断してもフロントガラスからの視界を妨げないもの、運転中に支障がなく、いつでもすぐに使用できるもの。【０００８】  車が駐車または、停車しているときに使用して、フロントガラスに降り注ぐ太陽熱や光を遮断し、車内の温度の上昇を抑え、車に乗ってすぐにハンドルを握ることが出来るように熱を遮断し日陰を作り、狭い車の中に  邪魔にならないように設置しいつでも使用できるようにして、設置したあと、ずれたり、外れたりしないようにする。【０００９】  現在、使用されている、車のフロントガラスの上に右と左に分けてある日除けを下げて使用した場合、日除けを下げた分、視界が狭くなる、それを解消するために、眩しさは遮断して、前が透けて見えるもので取り付ける日除けにする事。
【課題を解決するための手段】
【００１０】  本発明は、車内のフロントガラスの上部に、細長いワイヤ−に、眩しさは遮断して、前が透けてみえる素材を巻いたものを取り付ける、必要な所で下に引いて止める事が出来る。車のフロントガラスは、少し湾曲になっている、細長いワイヤ−を使用する事で、透けてみえる素材を巻いても、湾曲した位置を動くことがなく、回転する事ができる。【００１１】  本発明は、車内のフロントガラスの上部に、細長い弾力のある筒状のゴム、例えばゴムホ−スの様なものに太陽の熱い日差しを遮断し、日陰にすることが出来る素材を巻き付ける、駐車または、停車するとき、回転させながら下へ引っ張りフロントガラス全部に行き渡るようにして止める。【００１２】  本発明は、車内のフロントガラスの上に右と左に分かれて２枚の日除けが取り付けられているが、形や取り付け方は同じだが、材質を替えることでサングラスのように、眩しさは遮断し、前が透けてみえる、衝撃にも強く多少弾力のある素材を使用する。
【発明の効果】
【００１３】  本発明を、使用した場合、運転中に太陽が眩しいとき、フロントガラスの上部に細長く取り付けたものを、下に引く、日差しか眩しい部分だけを下ろす、下ろした部分だけ、太陽の眩しさを遮断し、前が薄く透き通って見え、赤信号から青信号に変わっても覗き込んだりせずに見ることが出来安全運転につながる。これを、右または、左のドアの上部に設置することで、朝日や西日の眩しさから開放され視界の良い運転をする事ができるため、安全運転につながる。【００１４】  本発明を、使用した場合、車を駐車又は、停車したあと、太陽熱により車の中が高温になるのを防ぐため、フロントガラスの上部に細長く取り付けたビニ−ルホ−スの様な物に太陽熱を遮断する素材を巻き付けた物を、上から下へ引き止めて、フロントガラス一面に覆う、フロントガラスは、斜めになっているが、本発明はフロントガラスの上部に固定してフロントガラスの下で止めるため、傾いたり、ずれ落ちたりすることがなく、車内が高温になるのを防ぐことができ、車に乗ってすぐに運転するときにもハンドルが熱くならずしっかり握ることができるため安全に運転することができる。使用しない時は、フロントガラスの上部に巻いてあるため、汚れず狭い車内でも邪魔にならない、いつでも使用したい時にくるくると下へ引くだけですむ、フロントガラスと布地の間隔は５ｃｍ前後位なので強い熱い日差しをしっかり遮断する事ができる。本発明を車の前の左右のドアの上部に設置することで駐停車している車の車内の温度をかなり下げることができる、車庫や屋根のないときは、熱い強い太陽熱で密閉された車内の温度は７０度、８０度と想像以上にすごいのです、そして、車内の全てが手で触れないほどに熱くなっているのです。
現在、車の中には、いろいろな計器類やアイテムが装備されています。車内の温度に耐えられず故障したりなかには溶けてしまったり等というのをよく聞いたりもします、本発明を使用する事で、故障したり、溶けたりするのを防ぐ事が出来る。車の中にカ−テンをしているのをときどき見かけるが、カ−テンノ布は使用しないときは、束ねて車内にぶら下がり邪魔になり、汚れるのも早い、しかし、本発明は巻き取り収納式になったいるため、使用しないときはフロントガラスの上部にあるため邪魔にならず汚れも少ない。【００１５】  本発明を使用した場合、車のフロントガラスの上部に右と左に分けて２枚取り付けて手で上げ下げして使用する、運転中に太陽の日差しが眩しい時に下げて使用して、日陰を作り眩しさから開放できるが、下げて使用しても透けて前が見える素材を使用しているためフロントガラス全部の視界を見ることが出来る、運転席からみた視界のフロントガラスの上の部分は、信号や標示等運転中に見なければいけない物があるが、本発明を使用する事で太陽の眩しさも妨げて、信号や標示等も透けてみることが出来るため安全に運転をする事ができる。
【発明を実地するための最良の形態】
【００１６】  車のフロントガラスの上部にフロントガラスの横の長さに合わせて、細いワイヤ−に薄いビニ−ルで囲み、それに、光を遮断し透けてみえる素材を巻き付ける、使用するとき、下にくるくると引き、光を遮断できる所で固定し止める事が出来る、しかし、車のフロントガラスは斜めになっているため引き下げた素材はだらりとぶら下がる状態になる、それをなくすために素材の両サイドに薄い弾力のあるものを張りつける、これが、凸になる。フロントガラスの両サイドに凹になるものを固定する、これで下に引き下げた素材は両サイドの凸がフロントガラスの凹にはまり斜めのフロントガラスに斜めに素材が付いていくので、フロントガラスと素材の間隔は５センチ前後位になり用途を果たすことができる。
【００１７】  車のフロントガラスの上部にフロントガラスの横の長さに合わせて、細い筒状の弾力のあるゴム、細いビニ−ルホ−スのような物を芯にして、太陽熱を遮断する素材をフロントガラスの縦の長さの分を巻き付ける、あとは、上記と同じで素材の両サイドに凸になるものを取り付ける、フロントガラスの両サイドに凹になるものを取り付けそれを凹凸のの部分を上の方ではめておく、使用するときに下へ引く、フロントガラスが斜めに傾いていても凹と凸がはまりながら斜め下に下りる、フロントガラス全部に素材が覆うフロントガラスと素材の間隔は、５センチ前後位になる、これで太陽熱をしっかり遮断する事が出来る、両サイド凹凸でしっかり止めているためずれ落ちたり傾いたりする事はない。
【００１８】  現在の車のほとんどに使用されている、フロントガラスの上部に２枚の日除けが取り付けられている、取り付け方はいままでのままで、材質をかえることで太陽の眩しい光を遮断する事が出来、信号や標示を透けてみる事が出来る、日除けを使用してもフロントガラスの視界すべてを見ることが出来る、覗き込むと言うことはない、視界が広いということは、安全に運転する事が出来る。
【実地例】
【００１９】  以下、添付図面に従って実地例を説明する。
【産業上の利用可能性】
【００２０】  現在の、車のほとんどに取り付けられて使用されている、日除けは、車のフロントガラスの上部に、左右に２枚、上げ下げして使用するようになっている、走行中に太陽の光等の眩しさをなくすために、運転席側のを下げて使用するが、下げると日陰はできて眩しさはなくなるが透き通る素材ではないため、フロントガラスの視界が狭くなる上にル−ムミラ−の部分はあまり眩しさを防ぐ事は出来ず、役にたたないのが現状です。これから、地球は温暖化になり太陽の熱や光をもっと防げるような物を車に備えつける必要性が出てくるのです。本発明品は、現在ある車の全てまた、これから作られる新車の全てにも取り付け可能であり、産業上の利用可能性は、大だと思います。
【図面の簡単な説明】
【００２１】
【図１】巻き取り収納式前が透けてみえる太陽眩しさ防止安全運転車用日除けを車内正面から見た図である。
【図２】巻き取り収納式駐停車用太陽熱や光を遮断する車用日除けを車内正面から見た図である。
【符号の説明】
【００２２】  １    本体：カバ−
２    ワイヤ−か弾力のある円筒のゴム
３    前が透けてみえる素材
４    太陽熱や光を遮断する素材
５    取っ手
６    凸の部分素材の両サイドに取り付ける
７    凹の部分フロントガラスの両サイドに固定する
８    素材が回転する方向
９    ふたつを分ける間仕切り
１０    素材が出入りする切れ目
１１    回転させるチェ−ン
１２    回転する芯
１３    フロントガラスの凹を固定する両サイド
１５    フロントガラス
１７    人の目線視界の広さ
１８    ハンドル
１９    信号
２０    ル−ムミラ−
【図１】
2006103651.tif 000003
【図２】
2006103651.tif 000004